(57)【要約】【課題】            スライドファスナーによる覆い部の開け口を広く形成でき、しかもスライドファスナーの開閉操作がしやすいバッグを提供する。また携帯する際には小さな折り畳み形態に保持できるバッグを提供する。【解決手段】        上部を略方形状に開口する開口部８とした袋状の収納部２と、この収納部の上部に設けた一対の提げ部９から成るバッグであり、前記開口部８に該開口部を開閉可能に覆う柔軟シート材料から成る覆い部１０を装着し、この覆い部を前記開口部の対角線に沿って装着したスライドファスナー１１を介して開閉可能とし、スライドファスナーによる覆い部の開け口を広く形成した。また、小さな折り畳み形状にしたバッグを、第１止着具２０と垂れ紐２１の先端部に取付けた第２止着具２２を係着して、その折り畳み形状を保持できるようにした。【選択図】          図１
0003164382.tif 000002
【実用新案登録請求の範囲】
【請求項１】
略方形状の底面部と、正面部、背面部、両側面部から成る４面の胴面部を備え、上部を略方形状に開口する開口部とした柔軟シート材料から成る袋状の収納部と、この収納部の正面部側及び背面部側における各上部の対称位置に設けた手提げ部又は肩掛け部として機能する一対の提げ部から成るバッグにおいて、前記収納部の略方形状に開口する前記開口部に該開口部を開閉可能に覆う柔軟シート材料から成る覆い部を装着し、この覆い部を前記開口部の対角線に沿って装着したスライドファスナーを介して開閉可能な二つの覆い部分に分けた覆い構造としたことを特徴とするバッグ。
【請求項２】
前記スライドファスナーのファスナーテープ部の両端部を前記収納部の開口縁部の内側にそれぞれ縫着した請求項１に記載のバッグ。
【請求項３】
前記提げ部は前記収納部の正面部側及び背面部側における各上部からそれぞれ一体的に延設されたものであり、前記覆い部は前記スライドファスナーの対のファスナーテープ部に沿ってそれぞれ縫着したファスナーテープ装着辺部で分けられた正面部側の覆い部分と背面部側の覆い部分を有し、前記収納部の正面部側から延設された前記提げ部と略同形状の裏地部を正面部側の覆い部分から一体的に延設し、前記収納部の背面部側から延設された前記提げ部と略同形状の裏地部を背面部側の覆い部分から一体的に延設し、正面部側の覆い部分は、前記ファスナーテープ装着辺部を除き、対応する一方の側面部の上縁部にその端部が縫着されると共に一体的に延設された裏地部を対応する正面部側の前記提げ部に裏地として縫合し、背面部側の覆い部分は、前記ファスナーテープ装着辺部を除き、対応する他方の側面部の上縁部にその端部が縫着されると共に一体的に延設された裏地部を対応する背面部側の前記提げ部に裏地として縫合した請求項１に記載のバッグ。
【請求項４】
前記収納部、前記提げ部、前記覆い部を任意の形状に折り畳み可能な柔軟シート材料で形成した請求項１、２又は３に記載のバッグ。
【請求項５】
前記収納部、前記提げ部、前記覆い部を任意の形状に折り畳み可能な柔軟シート材料で形成し、且つ、前記収納部の正面部又は背面部の外面の略中央位置に第１止着具を取付け、この第１止着具を取付けた同面の正面部又は背面部の上部に外面側に垂れ下がる垂れ紐を取付け、この垂れ紐の先端部に反転状態において前記第１止着具と着脱自在に係着される第２止着具を取付けたことを特徴とする請求項１、２又は３に記載のバッグ。
【請求項６】
前記第１止着具が雄又は雌のホック、前記第２止着具が前記第１止着具と着脱自在に嵌着される雄又は雌のホックである請求項５に記載のバッグ。
【考案の詳細な説明】
【技術分野】
【０００１】
本考案は、一対の提げ部を設けた袋状のバッグであり、特にバッグの上部開口にスライドファスナーによって開閉できる覆い部を装着したバッグの改良に関する。
【背景技術】
【０００２】
一対の提げ部（手提げ部又は肩掛け部）を設けた袋状のバッグであり、袋状のバッグの上部開口にスライドファスナーによって開閉できる柔軟シート材料から成る覆い部を装着したバッグがある（図５参照）。図５に示した従来のバッグ５０は、スライドファスナー５５を提げ部（手提げ部又は肩掛け部）５４が設けられた収納部５１の正面部５２及び背面部５３に対して平行に装着してあり、このスライドファスナー５５で開閉されるバッグの覆い部５６の開け口（図面では開け口を閉じてある。）を広くするため、スライドファスナー５５の一方の端部５５ａをバッグの開口縁部より外側に延ばした覆い部５６の延設部分５６ａに装着し（図５のスライドファスナー５５の左側の端部５５ａ参照）、またスライドファスナー５５の他方の端部５５ｂを覆い部５６の延設部分５６ｂから遊離し、遊離したファスナーの端部５５ｂを開口縁部より外側に長く延ばしたはみ出し状態に装着してある（図５のスライドファスナー５５の右側の端部５５ｂ参照）。しかし、図５に示した従来のバッグは、スライドファスナーの端部をバッグの開口縁部より外側に延ばして装着し、特に覆い部５６の延設部分５６ｂから遊離した端部５５ｂを開口縁部より外側に長く延ばしたはみ出し状態に装着したものであるため、外側に延ばされたスライドファスナーの端部をスライド起点としてスライドファスナーを開き又は閉じるスライドファスナーの開閉操作がしにくいものであり、また見栄えも悪いものであった。さらに、図５に示した従来のバッグは、覆い部５６の延設部分５６ｂとこの延設部分から遊離したスライドファスナーのファスナーテープ部の端部５５ｂを縫合できないため（図５のスライドファスナー５５の右側の端部５５ｂ参照）、スライドファスナーと覆い部との間に隙間ができ、スライドファスナーを閉じた場合でも、バッグの上部開口を覆い部で完全に密閉できないものであった。
【考案の概要】
【考案が解決しようとする課題】
【０００３】
本考案は、袋状のバッグの上部開口にスライドファスナーによって開閉できる柔軟シート材料から成る覆い部を装着したバッグであり、前記した従来のバッグの弊害をまとめて解決しようとするものである。すなわち、バッグの覆い部のスライドファスナーによる開け口を広く形成でき、広い開け口から物品の出し入れがしやすく、しかもバッグの覆い部のスライドファスナーによる開閉操作がしやすいバッグを提供しようとするものである。さらに、バッグの上部開口を覆い部で完全に密閉できる、保冷・保温機能が優れたバッグを提供しようとするものである。
【０００４】
また、本考案は、小さな方形状に折り畳むことができ、このコンパクトな折り畳み形態を保持できる、携帯するのに便利なバッグを提供しようとするものである。
【課題を解決するための手段】
【０００５】
前記した課題を解決するため、本考案（請求項１の考案）は、略方形状の底面部と、正面部、背面部、両側面部から成る４面の胴面部を備え、上部を略方形状に開口する開口部とした柔軟シート材料から成る袋状の収納部と、この収納部の正面部側及び背面部側における各上部の対称位置に設けた手提げ部又は肩掛け部として機能する一対の提げ部から成るバッグにおいて、前記収納部の略方形状に開口する前記開口部に該開口部を開閉可能に覆う柔軟シート材料から成る覆い部を装着し、この覆い部を前記開口部の対角線に沿って装着したスライドファスナーを介して開閉可能な二つの覆い部分に分けた覆い構造としたことを特徴とするバッグを提供する。
【０００６】
この考案のバッグは、前記スライドファスナーを前記収納部の略方形状に開口する開口部の対角線に沿って装着したことを特徴としている。すなわち、前記スライドファスナーは、提げ部（手提げ部又は肩掛け部）を設けた収納部の正面部及び背面部に対して斜め方向に装着される。このスライドファスナーを開閉することによって、前記収納部の略方形状の開口部を覆う柔軟シート材料から成る覆い部は、開口部の対角線に沿って開け口を開けられ、開口部の対角線に沿って開け口を閉じられる。よって、スライドファスナーが提げ部（手提げ部又は肩掛け部）を設けた収納部の正面部及び背面部に対して平行に装着された場合に比べて、バッグの覆い部のスライドファスナーによる開け口を広くできる。
【０００７】
しかも、前記したごとく、この考案のバッグは、前記スライドファスナーを略方形状に開口する開口部の対角線に沿って装着してある。これは、前記スライドファスナー（スライドファスナーのファスナーテープ部）を前記開口部の対角線に沿って該開口部の範囲内に装着したことを意味し、スライドファスナー（スライドファスナーのファスナーテープ部）の両端を開口部の開口縁部に内側から略Ｔ字状に交わるように装着したことを意味している。このように、前記スライドファスナーは、開口部の範囲内に装着され、その両端を開口部の開口縁部に内側から略Ｔ字状に交わるように装着されるため、スライドファスナーの開閉がしやすい。さらに、前記のように装着されたスライドファスナーによれば、このファスナーのファスナーテープ部と覆い部を完全に縫合でき、スライドファスナーと覆い部との間に隙間ができないため、ファスナーを閉じればバッグの上部開口を覆い部で完全に密閉できる。
【０００８】
また、本考案（請求項２の考案）は、前記スライドファスナーのファスナーテープ部のスライド方向の両端部を前記収納部の開口縁部の内側にそれぞれ縫着したバッグを提供する。
【０００９】
この考案によれば、スライドファスナーのファスナーテープ部のスライド方向の両端部を前記収納部の開口縁部の内側にそれぞれ縫着してあるため、スライドファスナーの開閉がしやすい。すなわち、前記スライドファスナーは前記収納部の開口部の範囲内に装着され、閉じたスライドファスナーのスライダー、開けたスライドファスナーのスライダーは前記収納部の開口縁部の内側に位置するため、スライドファスナーの開閉に際しては、片方の手でスライダーの位置近くの開口縁部をつかみ、この開口縁部の内側に位置しているスライダーを他方の手で操作するようにすれば、スライドファスナーの開閉を容易に行うことができる。よって、バッグの覆い部のスライドファスナーによる開け口の開閉を容易に行うことができる。しかも、スライドファスナーのファスナーテープ部の両端を前記収納部の開口縁部の内側に縫着したことによって、従来のバッグの如くスライドファスナーの端部をバッグの開口縁部より外側に延ばして装着したものではないため、見栄えが良い。さらに、ファスナーテープ部の両端を前記収納部の開口縁部の内側に縫着したスライドファスナーによれば、このファスナーテープ部と覆い部を完全に縫合でき、スライドファスナーと覆い部との間に隙間ができないため、ファスナーを閉じればバッグの上部開口を覆い部で完全に密閉できる。
【００１０】
また、本考案（請求項３の考案）は、前記提げ部は前記収納部の正面部側及び背面部側における各上部からそれぞれ一体的に延設されたものであり、前記覆い部は前記スライドファスナーの対のファスナーテープ部に沿ってそれぞれ縫着したファスナーテープ装着辺部で分けられた正面部側の覆い部分と背面部側の覆い部分を有し、前記収納部の正面部側から延設された前記提げ部と略同形状の裏地部を正面部側の覆い部分から一体的に延設し、前記収納部の背面部側から延設された前記提げ部と略同形状の裏地部を背面部側の覆い部分から一体的に延設し、正面部側の覆い部分は、前記ファスナーテープ装着辺部を除き、対応する一方の側面部の上縁部にその端部が縫着されると共に一体的に延設された裏地部を対応する正面部側の前記提げ部に裏地として縫合し、背面部側の覆い部分は、前記ファスナーテープ装着辺部を除き、対応する他方の側面部の上縁部にその端部が縫着されると共に一体的に延設された裏地部を対応する背面部側の前記提げ部に裏地として縫合したバッグを提供する。
【００１１】
また、本考案（請求項４の考案）は、前記収納部、前記提げ部、前記覆い部を任意の形状に折り畳み可能な柔軟シート材料で形成してある。本考案のバッグは、扁平形状に折り畳み可能であり、この扁平形状から更にコンパクトな小さい形状（例えば、方形状）に折り畳み可能である。
【００１２】
また、本考案（請求項５の考案）は、前記収納部、前記提げ部、前記覆い部を任意の形状に折り畳み可能な柔軟シート材料で形成し、且つ、前記収納部の正面部又は背面部の外面の略中央位置に第１止着具（例えば、雄又は雌のホック）を取付け、この第１止着具を取付けた同面の正面部又は背面部の上部に外面側に垂れ下がる垂れ紐を取付け、この垂れ紐の先端部に反転状態において前記第１止着具と着脱自在に係着される第２止着具（例えば、雄又は雌のホック）を取付けたバッグを提供する。
【００１３】
本考案のバッグは、扁平形状に折り畳み可能であり、この扁平形状から更にコンパクトな小さい形状（例えば、方形状）に折り畳み可能である。扁平形状に折り畳まれたバッグを第１止着具の取付け面とは反対側の面に向けて左右方向に折り返し、横幅を小さくした縦長の略方形状に折り畳み、次いで、この折り畳み形状を第１止着具の取付け面とは反対側の面に向けて上下方向（例えば、下部から上方向に複数回、上部から下方向に１回それぞれ折り畳み。）からそれぞれ折り畳み、横幅より縦幅をより小さくしたコンパクトな略方形状に折り畳む。この最終的な折り畳み形状において、下部を折り目、上部が離間する略Ｖ字状の折り畳み形状を呈し、一面側に第１止着具が表れ、反対面側の上部に垂れ紐の取付け端部が位置するようにしてある。次いで、垂れ紐の先端部を上部側に掛け渡して第１止着具側に反転させ、反転した垂れ紐の第２止着具（例えば、雄又は雌のホック）を第１止着具（例えば、雄又は雌のホック）に止着して、略方形状の小さな折り畳み形態を保持できるようにしてある。これにより、携帯に便利なコンパクトな折り畳み形状を保持できる。
【考案の効果】
【００１４】
本考案のバッグによれば、バッグの覆い部のスライドファスナーによる開け口を広く形成できるため、広い開け口から物品の出し入れがしやすく、しかもバッグの覆い部のスライドファスナーによる開閉操作がしやすいものである。さらに、バッグの上部開口を覆い部で完全に密閉できるため、保冷・保温機能が優れている。
【００１５】
また、本考案のバッグによれば、小さな方形状に折り畳むことができ、このコンパクトな折り畳み形態を保持できるため、携帯するのに便利である。
【図面の簡単な説明】
【００１６】
【図１】本考案のバッグを一部切欠いて示した斜面図である。
【図２】提げ部を省略して示した本考案のバッグの概略平面図である。
【図３】本考案のバッグを扁平に折り畳んだ状態を示す概略正面図である。
【図４】扁平に折り畳んだ本考案のバッグを小さな形状に折り畳み且つこの折り畳み形態を保持する手順を説明的に示した概略正面図である。
【図５】従来のバッグの斜面図である。
【考案を実施するための形態】
【００１７】
本考案の実施形態を図１〜図４に基づき説明する。図１、図２（図２は提げ部を省略して示した。）から理解できるように、本考案のバッグ１は、略方形状（略長方形状）の底面部３と、この略長方形状の底面部３の各長辺側に対応する正面部４及び背面部５（なお、正面部及び背面部の特定は、どちらかの面を正面部とし、反対側の面を背面部として便宜的に特定したものである。）、この底面部３の各短辺側に対応する両側面部６，７から成る４面の胴面部を備え、上部を略方形状（略長方形状）に開口する開口部８とした柔軟シート材料から成る袋状の収納部２と、この収納部２の正面部４側及び背面部５側における各上部の対称位置に設けた手提げ部又は肩掛け部として機能する一対の柔軟シート材料から成る帯状の提げ部９，９から成るバッグであり、主な特徴は、前記収納部２の略方形状（略長方形状）に開口する前記開口部８に該開口部８を開閉可能に覆う柔軟シート材料から成る覆い部１０を装着し、この覆い部１０を前記開口部８の対角線に沿って装着したスライドファスナー１１を介して開閉可能な二つの覆い部分に分けた覆い構造としたことである。
【００１８】
前記スライドファスナー１１は、正面部４と一方の側面部６との境をなすコーナー部の上部と、背面部５と他方の側面部７との境をなすコーナー部の上部との間をスライダーがスライドするように装着されている。すなわち、スライドファスナー１１は、提げ部９，９（手提げ部又は肩掛け部）を設けた収納部２の正面部４及び背面部５に対して斜め方向に装着されている。このスライドファスナー１１を開閉することによって、前記収納部２の略方形状の開口部８を覆う柔軟シート材料から成る覆い部１０は、開口部８を二つの部分に仕切る対角線に沿って開閉される開け口１２を形成され、開口部８の対角線に沿って開け口１２を開けられ、開口部８の対角線に沿って開け口１２を閉じられる。よって、スライドファスナーが提げ部（手提げ部又は肩掛け部）を設けた収納部の正面部及び背面部に対して平行に装着された場合に比べて、図２に一点鎖線で示したようにバッグ１の覆い部１０のスライドファスナー１１による開け口１２を広くできる。
【００１９】
図１に示したバッグ１は、収納部２と提げ部９を同じ材料で一体形成してあり、前記収納部２の正面部４側及び背面部５側における各上部から帯状の提げ部９，９をそれぞれ一体的に延設してある。前記収納部２の両側面部６，７側の上縁部と帯状の提げ部９，９の外周縁部は連続した周縁部を成し、この周縁部は補強布状テープ１３ａで連続して包まれた状態に縫着されている。また、提げ部９の内周縁部９ａも補強布状テープ１３ｂで連続して包まれた状態に縫着されている。なお、本考案のバッグは、収納部２に提げ部（手提げ部又は肩掛け部）を設けたものであれば良く、図示した一体形成したものに限定されない。例えば、収納部に提げ部を縫着などの手段によって取付けた構造のバッグ、収納部に提げ部が連結具を介して取付けられた構造のバッグも含む。
【００２０】
前記スライドファスナー１１及び覆い部１０を前記収納部２の開口部８に装着する具体例について説明する。前記スライドファスナー１１の両端部（スライドファスナー１１のファスナーテープ部１１Ａ，１１Ｂの両端部）は前記収納部２の上縁部（開口縁部）の内側に前記補強布状テープ１３ａで被覆された状態に縫着してある。
【００２１】
前記覆い部１０は、前記スライドファスナー１１の対のファスナーテープ部１１Ａ，１１Ｂの全長範囲に沿ってそれぞれ縫着した斜めのファスナーテープ装着辺部で分けられた正面部側の覆い部分１０Ａと背面部側の覆い部分１０Ｂを有し、前記収納部２の正面部４側から延設された前記提げ部９と略同形状の裏地部１４（図１ではこの裏地部１４が隠れている。）を正面部側の覆い部分１０Ａから一体的に延設し、前記収納部２の背面部５側から延設された前記提げ部９と略同形状の裏地部１４を背面部側の覆い部分１０Ｂから一体的に延設してある。
【００２２】
正面部側の覆い部分１０Ａは、前記ファスナーテープ装着辺部を除き、対応する一方の側面部７の上縁部にその端部が前記補強布状テープ１３ａで被覆された状態に縫着されると共に一体的に延設された裏地部１４を対応する正面部４側の前記提げ部９（提げ部９の表地）に裏地として前記補強布状テープ１３ａ，１３ｂで被覆された状態に縫合されている。また、背面部側の覆い部分１０Ｂは、前記ファスナーテープ装着辺部を除き、対応する他方の側面部６の上縁部にその端部が前記補強布状テープ１３ａで被覆された状態に縫着されると共に一体的に延設された裏地部１４を対応する背面部５側の前記提げ部９（提げ部９の表地）に裏地として前記補強布状テープ１３ａ，１３ｂで被覆された状態に縫合されている。スライドファスナー１１を完全に閉じれば、バッグの開口部８は覆い部１０（正面部側の覆い部分１０Ａと背面部側の覆い部分１０Ｂ）で完全に密閉される構造にしてある。前記覆い部１０は、その被覆面を収納部２の開口部８の広さより広めに形成してあり、スライドファスナー１１を閉じた状態で被覆面が凹み或いは膨らむようにスライドファスナー１１の長さ及び被覆面の広さに余裕を持たせて装着してある。
【００２３】
図示した実施例のバッグ１は、収納部２、提げ部９，９、覆い部１０（正面部側の覆い部分１０Ａと背面部側の覆い部分１０Ｂ）を、ポリエステルやナイロンなどの柔軟な布材で形成してあり、任意の形状に折り畳み可能に形成されている。図示した実施例のバッグ１は、物品を未収納の状態では図３のように扁平形状に折り畳み可能である。図３の一点鎖線は収納部２の正面部４と側面部６，７との各コーナー部と成る境目線Ｌ１，Ｌ１を示し、図３の下側の破線は内折り目線Ｌ２を示している。この内折り目線Ｌ２（破線）と二本の境目線Ｌ１，Ｌ１（一点鎖線）で囲まれた長方形状の内折り部分で略方形状（略長方形状）の底面部３が形成され、この底面部３の左右両側の内折り目線Ｌ２（破線）と境目線Ｌ１，Ｌ１（一点鎖線）で囲まれた略三角形の内折り部分をまち部１５，１５としてある。内折りされた底面部３やまち部１５を広げることによって、図１のように立体化されたバッグとすることができる。
【００２４】
この考案のバッグ１は、図３及び図４の（イ）に示した扁平形状に折り畳み可能であり、この扁平形状から更に任意の形状（例えば、小さな方形状）に折り畳み可能である。
【００２５】
図１の実施例に示したバッグ１の大きさは、一例として、収納部２において、高さ寸法が約３７ｃｍ程度であり、正面部４及び背面部５の横幅寸法が約３２ｃｍ程度であり、側面部６，７の幅寸法（まち部としての幅）が約２０ｃｍ程度である。バッグの大きさは、これより大きくても小さくても良いものである。
【００２６】
前記収納部２の正面部４（背面部５でも可）の外面の略中央位置に第１止着具２０を取付け、この第１止着具２０を取付けた面部と同じ面部（この実施例では正面部４）の上部に外面側に垂れ下がる垂れ紐２１を前記補強布状テープ１３ｂで被覆された状態にその上端を縫着して取付け、この垂れ紐２１の先端部に反転状態において前記第１止着具２０と着脱自在に係着される第２止着具２２を取付けてある。図示した実施例では、第１止着具２０を雄のホック（凸状のホック）又は雌のホック（凹状のホック）とし、第２止着具２２を第１止着具２０のホックと着脱自在に嵌着される雄のホック（凸状のホック）又は雌のホック（凹状のホック）としてある。なお、第１止着具２０及び第２止着具２２は互いに接合され着脱自在に固着できる面ファスナーとしても良い。
【００２７】
図４に基づき、扁平に折り畳んだ本考案のバッグ１を小さな方形状に折り畳み且つこの折り畳み形態を保持する手順を説明する。なお、図４に示した一点鎖線は一例としての好ましい折り目線を示している。
【００２８】
先ず、扁平形状に折り畳まれたバッグ１（図４のイの形状）の左右両端部を第１止着具２０の取付け面とは反対側の面に向けて折り目線Ｆ１，Ｆ２を介して左右方向に折り畳み、横幅を小さくした縦長の略方形状に折り畳む（図４のハの折り畳み形状）。次いで、この折り畳み形状を第１止着具２０の取付け面とは反対側の面に向けて上下方向からそれぞれ折り畳み（例えば、上部から下方向に折り目線Ｆ３に沿って１回折り畳み、さらに下部から上方向に折り目線Ｆ４，Ｆ５，Ｆ６の順に各折り目線に沿って複数回折り畳む。）、横幅より縦幅をより小さくしたコンパクトな略方形状に折り畳む（図４のニの折り畳み形状）。この最終的な折り畳み形状において、下部を折り目、上部が離間する略Ｖ字状の折り畳み形状を呈し、一面側に第１止着具（図面では雄のホック）２０が表れ、反対面側の上部に垂れ紐２１の取付け端部が位置するようにしてある。次いで、垂れ紐２１の先端部を上部側に掛け渡して第１止着具２０側に反転させ、反転した垂れ紐２１の第２止着具（図面では雌のホック）２２を第１止着具（図面では雄のホック）２０に止着して、略方形状の小さな折り畳み形態を保持できるようにしてある（図４のホを参照）。これにより、比較的大きなバッグを携帯に便利なコンパクトな折り畳み形状を保持できる。
【００２９】
なお、図１の実施例には、前記垂れ紐２１の基端部に前記第２止着具２２と着脱自在に係着される第３止着具２３を取付けてある。前記垂れ紐２１の先端側をループ状に折り返し、折り返された前記第２止着具２２を第３止着具２３に止着すれば、垂れ紐２１をループ形状にして吊り下げることができ、バッグ使用時におけるアクセサリー効果を高めることができる。図示した実施例では、第３止着具２３を第２止着具２２のホックと着脱自在に嵌着される雄のホック（凸状のホック）又は雌のホック（凹状のホック）としてある。
【符号の説明】
【００３０】
１  バッグ
２  収納部
３  底面部
４  正面部
５  背面部
６  側面部
７  側面部
８  開口部
９  提げ部（手提げ部又は肩掛け部）
１０  覆い部
１０Ａ  正面部側の覆い部分
１０Ｂ  背面部側の覆い部分
１１  スライドファスナー
１１Ａ，１１Ｂ  ファスナーテープ部
１２  開け口
１３ａ  補強布状テープ
１３ｂ  補強布状テープ
１４  提げ部の裏地部
２０  第１止着具（雄又は雌のホック）
２１  垂れ紐
２２  第２止着具（雄又は雌のホック）
【図１】
0003164382.tif 000003
【図２】
0003164382.tif 000004
【図３】
0003164382.tif 000005
【図４】
0003164382.tif 000006
【図５】
0003164382.tif 000007